(57)【特許請求の範囲】
【請求項１】
建物の外壁内に設けられて室内側と室外側を連通するダクト内に嵌挿される本体筒部と、前記本体筒部の室外側端部に支持部材を介して室外に設けられ、外壁面との間に通風路を形成する遮蔽部とを備えた換気用ベントキャップであって、
前記遮蔽部は外周縁から中心に向かうにしたがって室内側に厚みが増加する突形状部を有し、前記突形状部は傾斜角度が異なる複数の円錐を複合してなり、内側の円錐は外側の円錐より鉛直方向に対する傾斜角度が小さく、前記突形状部の外周縁側の傾斜角度を、換気上有効な風量が得られつつ前記外壁面への汚れ防止が適切にできる３０°〜７０°の範囲内としたことを特徴とする換気用ベントキャップ。
【請求項２】
遮蔽部は室外に面する板材と、突形状部を形成する板材との接合で構成された請求項１に記載の換気用ベントキャップ。
【請求項３】
室外に面する板材と突形状部を形成する板材とをかしめによって接合する構成とした請求項１記載の換気用ベントキャップ。
【請求項４】
突形状部を形成する板材は外周縁部でその板厚分だけ段落としされ、室外に面する板材が前記段落としされた箇所にかしめ接合されてなる請求項１記載の換気用ベントキャップ。
【請求項５】
遮蔽部の内部に形成される空間に発泡スチロール等の断熱材が内蔵された請求項１〜３のいずれかに記載の換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして室内側に風雨の吹き込みを防止する遮蔽板を設けた換気用ベントキャップが知られている（例えば、特許文献１参照）。
【０００３】
以下、そのベントキャップについて図１４を参照しながら説明する。
【０００４】
図に示すように、円筒状の本体筒１０１の室外側端部前方に、支持部材１０２により風雨侵入防止の遮蔽板１０３を設けてなる換気用ベントキャップにおいて、遮蔽板１０３は実質的に平板状であり、一方、本体筒１０１の前端開口の周縁には外向けフランジ１０４が形成され、この外向けフランジ１０４は前方に突出してガイド枠１０５が取り付けられ、このガイド枠１０５は円筒状の枠フランジ１０５ａと前方に拡径して突出するカラー１０５ｂとならなり、カラー１０５ｂはその前縁が、風雨侵入防止のために遮蔽板１０３よりも内側に位置している。
【０００５】
また、風雨侵入防止のために別の形状をした防風板を備えた換気用ベントキャップとして、特許文献２の換気用ベントキャップが知らされている。その換気用ベントキャップについて図１５を参照しながら説明する（例えば、特許文献２参照）。
【０００６】
図に示すように建物における壁１１１の換気口取付口１１２に嵌着される短管部分１１３は、換気口取付口１１２内に貫入される短管部１１４と、短管部１１４の室外側端部において外方に折曲げた縁部１１５とから構成され、短管部分１１３の室外側開口部にはステンレス網あるいはエキスパンドメタル１１６が張設され、ステンレス網あるいはエキスパンドメタル１１６の室外側には整流突起口１１７が取付けられ、整流突起口１１７の前方に支脚１１８を介して風雨侵入防止の防風板１１９が設けられ、この防風板１１９の室内側面の中央部には断面逆さ富士状のくぼみ部１２０が形成されている。
【特許文献１】特開平８−２４０３３１号公報（００１０段落、００１１段落、図１）
【特許文献２】実開平７−２１８９６号公報（０００５段落、図３）
【発明の開示】
【発明が解決しようとする課題】
【０００７】
このような従来の換気用ベントキャップにおいて、特許文献１に記載された換気用ベントキャップでは、降雨時の雨の侵入においては効果があるが、ベントキャップの主目的である換気をした際には、室内側の汚れた空気は本体筒１０１を通り、遮蔽板１０３に当たり、その方向を遮蔽板１０３の外周方向に向きを変えられ、室外に排気される。このとき、遮蔽板１０３に当たった空気は遮蔽板１０３によって跳ね返され、外壁面に向かう排気流となる。室内から排気される空気が汚れている場合には、その排気流が汚れているので、その汚れた排気流が外壁面に当たると外壁面が汚れてしまう。さらに、排気流の風速が高いときには、外壁面に跳ね返される排気流が多くなり、より一層、排気流によって外壁面が汚れてしまう。
【０００８】
また、特許文献２に記載された換気用ベントキャップでは、防風板１１９の中央部に逆さ富士状のくぼみ部１２０を設けることによって、排気風をスムーズに誘導することができるが、排気風が防風板１１９にそって外周方向に流れ、この排気風が防風板１１９の外周から離れると、排気風は広がり、外壁面へ向かう排気流も生じ、この排気流が外壁面に当たり、外壁面が汚れてしまう。
【０００９】
一方、近年住宅の気密化によって換気扇を常時運転することが義務づけられており、汚れた排気流が常時、外壁面に当たり続けていると住宅の壁が汚れることとなってしまう。
【００１０】
このような従来の換気用ベントキャップでは、排気流が遮蔽板１０３または防風板１１９に跳ね返され汚れた排気流が外壁面に当たり、外壁面を汚してしまうという課題があった。また、換気風量が多く、風速が高いときには、より一層、排気流によって外壁面を汚してしまうという課題があり、外壁面を汚さない換気用ベントキャップが要求されている。
【００１１】
本発明は、従来のこのような課題を解決するものであり、換気口の前面に遮蔽板があっても、排気流が遮蔽板によって跳ね返されなく、外壁面を汚すのを防止できる換気用ベントキャップを提供することを目的としている。
【課題を解決するための手段】
【００１２】
本発明の換気用ベントキャップは上記目的を達成するために、建物の外壁内に設けられて室内側と室外側を連通するダクト内に嵌挿される本体筒部と、前記本体筒部の室外側端部に支持部材を介して室外に設けられ、外壁面との間に通風路を形成する遮蔽部とを備えた換気用ベントキャップであって、前記遮蔽部は外周縁から中心に向かうにしたがって室内側に厚みが増加する突形状部を有するものである。
【００１３】
また、他の手段は、突形状部は傾斜角度が異なる複数の円錐を複合してなり、内側の円錐は外側の円錐より鉛直方向に対する傾斜角度が小さいものである。
【００１４】
また、他の手段は、突形状部は傾斜角度が異なる複数の角錐を複合してなり、内側の角錐は外側の角錐より鉛直方向に対する傾斜角度が小さいものである。
【００１５】
また、他の手段は、突形状部が複数の球面を複合してなるものである。
【００１６】
また、他の手段は、突形状部が球面と角錐を複合してなるものである。
【００１７】
また、他の手段は、突形状部の外周縁側の傾斜角度を３０°〜７０°の範囲内としたものである。
【００１８】
また、他の手段は、遮蔽部は室外に面する板材と、突形状部を形成する板材との接合で構成されたものである。
【００１９】
また、他の手段は、室外に面する板材と突形状部を形成する板材とをかしめによって接合する構成としたものである。
【００２０】
また、他の手段は、突形状部を形成する板材は外周縁部でその板厚分だけ段落としされ、室外に面する板材が前記段落としされた箇所にかしめ接合されたものである。
【００２１】
また、他の手段は、遮蔽部の内部に形成される空間に発泡スチロール等の断熱材が内蔵されたものである。
【発明の効果】
【００２２】
本発明によれば、室内からの空気が汚れを含んだ排気流であっても、その排気流は遮蔽部の外周縁から離れる際には反壁側に流れるため、排気流が外壁面に当たらないので、排気流によって壁が汚れるのを防止できる換気用ベントキャップが得られる。
【００２３】
また、突形状部は傾斜角度が異なる複数の円錐を複合してなるので、排気流を突形状部に沿わせるという作用効果を維持したうえで、突形状部の厚み寸法を最大限に薄くすることができる。またこれにより、遮蔽部の位置を本体筒部の開口部近くにすることができるので、外壁からの出代を少なくした薄型の換気用ベントキャップとするこができ、エクステリア性を向上させることができる。
【００２４】
また、突形状部は傾斜角度が異なる複数の角錐を複合してなるので、排気流を突形状部に沿わせるという作用効果を維持したうえで、突形状部の厚み寸法を最大限に薄くすることができる。またこれにより、遮蔽部の位置を本体筒部の開口部近くにすることができるので、外壁からの出代を少なくした薄型の換気用ベントキャップとするこができ、遮蔽部の形状が丸形の形状だけでなく、角形の換気用ベントキャップを製作することができ、エクステリア性の向上したベントキャップの提供ができる。
【００２５】
また、突形状部が複数の球面を複合してなるので、排気流が滑らかにその進行方向を直進方向から吹きだし方向に角度成分を換えることができ、換気風量の低下を抑えることができる。また、各々の球面の繋ぎ部はなだらかになり、稜線を生じさせないので、稜線部などに埃が溜まるという現象も起こらず、突形状部の表面をクリーンに保つことができ、商品自体の美観を保つこともできる。
【００２６】
また、突形状部が球面と角錐を複合してなるので、換気用ベントキャップの遮蔽部が多角形などどのような形状になっても、室内から出た排気流が滑らかにその進行方向を直進方向から吹きだし方向に角度成分を換えることができ、換気風量の低下を抑えることができ、また、排気による壁の汚れを防止できる。さらに、壁汚れ防止をすることによって換気用ベントキャップのデザイン性に制限をもたせることなく、幅広い任意な形状にすることができる。
【００２７】
また、突形状部の外周縁側の傾斜角度を３０°〜７０°の範囲内としたので、規格化されたパイプ径に適合するような換気用ベントキャップにおいて、どの径においても換気上有効な風量が得られつつ、外壁面への汚れ防止が適切にできる。
【００２８】
また、遮蔽部は室外に面する板材と、突形状部を形成する板材との接合で構成されているので、突形状部の板材の形状にかかわらず、遮蔽部の形状をデザイン上有効な任意な形状とすることができる。また２つの板材の内部は中空になっているので、商品自体を軽くできるため、商品を安価に作ることができ、さらに軽量な商品化が実現できるため、施工の際、簡単に外壁に設置することができる。
【００２９】
また、室外に面する板材と突形状部を形成する板材とをかしめによって接合する構成としたので、商品の正面にスポット溶接跡、ネジなど、商品の外観上低下するものがないため、外観上優れた換気用ベントキャップを提供できる。
【００３０】
また、突形状部を形成する板材は外周縁部でその板厚分だけ段落としされ、室外に面する板材が段落としされた箇所にかしめ接合されているので、突形状部の表面に凹凸がなく、本体筒部の開口部から排気された空気が突形状部に沿って流れる際、かしめ部付近で空気の乱流を防ぐことができ、換気用ベントキャップの圧力損失の低減ができる。また、かしめ部に凹凸がないため、埃の堆積をすることがなくなり、換気用ベントキャップの表面の汚れを防止できる。寒冷地地域では、埃の堆積がないため、埃が水分を吸って夜間に冷えて、この水分の凍結により氷柱を発生することもないため、換気用ベントキャップに発生する氷柱の防止ができる。
【００３１】
また、遮蔽部の内部に形成される空間に発泡スチロール等の断熱材が内蔵されたので、寒冷地地域では、換気扇による排気により昼間暖かい空気が排出される際、排気流が突形状部に当たると、その熱が遮蔽部の内部の発砲スチロールなどの断熱材に蓄積されるため、夜間、排気していないときでも、遮蔽部が暖かさを保ち、遮蔽部に付着する結露水や、雪などが凍るのを防ぎ、遮蔽部下端での氷柱の発生を防止できる。
【発明を実施するための最良の形態】
【００３２】
本発明の請求項１記載の換気用ベントキャップは、建物の外壁内に設けられて室内側と室外側を連通するダクト内に嵌挿される本体筒部と、前記本体筒部の室外側端部に支持部材を介して室外に設けられ、外壁面との間に通風路を形成する遮蔽部とを備えた換気用ベントキャップであって、前記遮蔽部は外周縁から中心に向かうにしたがって室内側に厚みが増加する突形状部を有し、前記突形状部は傾斜角度が異なる複数の円錐を複合してなり、内側の円錐は外側の円錐より鉛直方向に対する傾斜角度が小さく、前記突形状部の外周縁側の傾斜角度を、換気上有効な風量が得られつつ前記外壁面への汚れ防止が適切にできる３０°〜７０°の範囲内としたものであり、室内の汚れた排気が本体筒部を通り、遮蔽部に当たる際、突形状部の面に沿って流れ、排気流は遮蔽部の外周縁から離れる際に、外周縁よりもさらに室外側に向くように、突形状部の外周縁側に３０°〜７０°の範囲内の傾斜角度を有して流れるため、排気流が壁側にもどらず、排気流による外壁面の汚れ防止ができるという作用を有する。
【００３８】
また、請求項２記載の換気用ベントキャップは、遮蔽部が室外に面する板材と、突形状部を形成する板材との接合で構成されたものであり、正面視は平板であるため、エクステリア性に優れていて、かつ、その裏側は突形状部の板材で構成されているので、壁の汚れ防止が図れる。また、２つの板材の内部は中空になっているので、商品自体を軽く、安価に作ることができ、さらに軽量な商品化が実現できるため、施工の際、簡単に壁に設置することができる。
【００３９】
また、請求項３記載の換気用ベントキャップは、室外に面する板材と突形状部を形成する板材とをかしめによって接合する構成としたものであり、商品の正面に、スポット溶接跡、ネジなど、外観上低下するものがないため、外観上に優れた換気用ベントキャップを提供できる。
【００４０】
また、請求項４記載の換気用ベントキャップは、突形状部を形成する板材は外周縁部でその板厚分だけ段落としされ、室外に面する板材が前記段落としされた箇所にかしめ接合したものであり、かしめ接合される部分においては突形状部の表面に凹凸がないため、本体筒部の開口部から排気された空気が突形状部に沿って流れる際、かしめ部付近で空気の乱流を防ぐことができ、換気用ベントキャップの圧力損失を低下できる。また、かしめ部に凹凸がないため、埃の堆積がなくなり、換気用ベントキャップの表面の汚れを防ぐことができる。とくに寒冷地地域では、このように換気用ベントキャップへの埃の堆積がないため、埃が水分を吸って夜間に冷えて、この水分の凍結により氷柱を発生することもなくなり、ベントキャップに発生する氷柱の防止ができる。
【００４１】
また、請求項５記載の換気用ベントキャップは、遮蔽部の内部に形成される空間に発泡スチロール等の断熱材が内蔵されたものであり、寒冷地地域では、遮蔽部に換気による排気により昼間暖かい空気が流れ、その熱が、遮蔽部内の発砲スチロールなどの断熱材に蓄積されるため、夜間、排気していないときでも、遮蔽部が暖かさを保っているので、遮蔽部に付着する結露水や、雪などが凍るのを防ぎ、遮蔽部下端での氷柱の発生を防止できる。
【００４２】
以下、本発明の実施の形態について図面を参照しながら説明する。
【００４３】
（実施の形態１）
図１に示すように、建物の外壁１内に設けられて室内２と室外３側を連通するダクト４内に嵌挿される本体筒部５と、本体筒部５の室外側端部に支持部材６を介して室外３に設けられ、外壁面１ａとの間に通風路を形成する遮蔽部７を備え、遮蔽部７は外周縁９から中心１０に向かうにしたがって室内２側に厚みが増加する突形状部１１を有している。
【００４４】
上記構成において、換気をすると、室内２の汚れた空気は本体筒部５を通り、遮蔽部７に到達すると、突形状部１１の面に沿って外周方向にガイドされ、排気流が遮蔽部７の外周縁９から離れる際には、排気流は外周縁９の角度成分を維持したまま、外壁面１ａから離れる方向に向かって流れる。このため、室内２からの空気が汚れを含んだ排気流であっても、その排気流は遮蔽部７の外周縁９から離れる際には反外壁１側に流れ、排気流が外壁面１ａに当たらないので、排気流によって外壁面１ａが汚れるのを防止できることとなる。
【００４５】
なお、外周縁９部から厚みが増加するとしているが、図２に示すように、製造上実質的に外周縁９から５ｍｍ程度の範囲で起点として中心１０側に厚みが増加するものとなるが、その作用効果は、外周縁９から厚みが増加している場合と差異は生じない。
【００４６】
（実施の形態２）
図３に示すように、遮蔽部７Ａの突形状部１１Ａは傾斜角度が異なる複数の円錐Ａ１２Ａ、円錐Ｂ１２Ｂを複合してなり、各々の円錐Ａ１２Ａ、円錐Ｂ１２Ｂはその鉛直方向に対する傾斜角度Ａ１，Ａ２が異なる角度で構成されており、内側の円錐Ｂ１２Ｂの傾斜角度Ａ２は外側の円錐Ａ１２Ａの傾斜角度Ａ１より小さく形成されている。
【００４７】
上記構成において、排気流が外壁１に向かうのを防止するためには、突形状部１１Ａの外周縁９から離れる際の吹き出し角度を大きくすることが望ましいが、外周縁９の傾斜角度を大きくとると突形状部１１Ａの厚み寸法Ｂが増大することとなり、厚み寸法Ｂが増大すると、中心部１３が本体筒部５の開口部１４を塞ぐようになり、これを回避するために外壁面１ａからの出代寸法Ｃを大きくする必要がある。しかし、本実施の形態２では突形状部１１Ａが２個の円錐１２Ａ、１２Ｂで構成されて、かつその内側の円錐Ｂ１２Ｂの傾斜角度Ａ２が外側の円錐Ａ１２Ａの傾斜角度Ａ１よりも小さい角度としているので、排気流を突形状１１Ａに沿わせるという作用効果を維持しつつ、突形状部１１Ａの厚み寸法を最大限薄くすることができる。これにより、遮蔽部７Ａの位置を本体筒部５の開口部１４に近くすることができるので、壁からの出代寸法Ｃを小さくした薄型の換気用ベントキャップとするこができエクステリア性の向上した換気用ベントキャップの提供ができる。なお、本実施の形態２では突形状部１１Ａを２つの円錐からなるものとしたが、３個以上の傾斜角度の異なる円錐を複合して構成しても、その作用効果に差異を生じない。
【００４８】
（実施の形態３）
図４に示すように、遮蔽部７Ｂの突形状部１１Ｂは傾斜角度が異なる複数の角錐Ａ１５Ａ、角錐Ｂ１５Ｂを複合してなり、各々の角錐Ａ１５Ａ、角錐Ｂ１５Ｂはその鉛直方向に対する傾斜角度Ａ３，Ａ４が異なる角度で構成されており、内側の角錐Ｂ１５Ｂの傾斜角度Ａ４は外側の角錐Ｂ１５Ｂの傾斜角度Ａ３より小さく形成されている。
【００４９】
上記構成において、排気流が外壁１に向かうのを防止するためには、突形状部１１Ｂの外周縁９から離れる際の吹き出し角度を大きくすることが望ましいが、外周縁９の傾斜角度を大きくとると突形状部１１Ｂの厚み寸法Ｂが増大することとなり、厚み寸法Ｂが増大すると、中心部１３が本体筒部５の開口部１４を塞ぐようになり、これを回避するために外壁面１ａからの出代寸法Ｃを大きくする必要がある。しかし、本実施の形態３では突形状部１１Ｂが２個の角錐Ａ１５Ａ、角錐Ｂ１５Ｂで構成されて、かつその内側の角錐Ｂ１５Ｂの傾斜角度Ａ４が外側の角錐Ａ１５Ａの傾斜角度Ａ３よりも小さい角度としているので、排気流を突形状部１１Ｂに沿わせるという作用効果を維持しつつ、突形状部１１Ｂの厚み寸法を最大限薄くすることができる。これにより、遮蔽部７Ｂの位置を本体筒部５の開口部１４に近くすることができるので、外壁１からの出代寸法Ｃを小さくした薄型の換気用ベントキャップとするこができ、遮蔽部７Ｂが角形の換気用ベントキャップを製作することができ、エクステリア性の向上した換気用ベントキャップの提供ができる。なお、本実施の形態３では突形状部１１Ｂを２つの角錐からなるものとしたが、３個以上の傾斜角度の異なる角錐を複合して構成しても、その作用効果に差異を生じない。
【００５０】
（実施の形態４）
図５に示すように、突形状部１１Ｃは曲率半径の異なる球面Ａ１６Ａ、球面Ｂ１６Ｂを複合してなる。
【００５１】
上記構成において、室内から出た排気流は突形状部１１Ｃの中心部１３に当たって外周縁９まで流れる際に、突形状部１１Ｃが２つの球面Ａ１６Ａ、球面Ｂ１６Ｂでなっているので、排気流が滑らかにその進行方向を直進方向Ｓから吹きだし方向Ａに角度成分を変えることができ、換気風量の低下を抑えることができる。また、突形状部１１Ｃの表面は２つの球面Ａ１６Ａ、球面Ｂ１６Ｂからなっているので、各々の球面Ａ１６Ａ、球面Ｂ１６Ｂの繋ぎ部はなだらかになり、稜線を生じさせないので、稜線部などに埃が溜まるという現象も起こらないため、突形状部１１Ｃの表面をクリーンに保てることができ、商品自体の美観を保てることもできる。
【００５２】
（実施の形態５）
図６および図７に示すように、突形状部１１Ｄが球面Ｃ１６Ｃと角錐Ｃ１５Ｃとでつながれて複合した形状からなるものである。
【００５３】
上記構成において、遮蔽部７Ｃの正面側が本体筒部５と同心円状の円板形状でなく、四角などの多角形であった場合には、突形状部１１Ｃの内側を球面とし、外側を角錐にすることによって、突形状部１１Ｄが中心部１３Ａから外周縁９部まで滑らかにつなぐことができる。換気用ベントキャップが多角形などどのような形状になっても、室内から出た排気流が滑らかにその進行方向を直進方向Ｓから吹きだし方向Ａに角度成分を変えることができるので、換気風量の低下を抑えることができ、かつ、排気流による外壁面１ａの汚れを防止できる。また外壁面１ａの汚れ防止をすることによって換気用ベントキャップの意匠に制限をもたせることなく、幅広い任意な形状にすることができる。
【００５４】
（実施の形態６）
図８および図９に示すように、突形状部１１Ｅの外周縁９側の傾斜角度Ａを３０°〜７０°の範囲内としたものとする。
【００５５】
上記構成において、室内から出た排気流が遮蔽部７Ｄから吹き出されるときに、反外壁１方向に流すためには突形状部１１Ｅの外周縁９の傾斜角度Ａが重要な要因となる。またこの傾斜角度Ａは換気風量にも影響する。図９はその２つの作用である外壁１の汚れの防止効果度（Ｄ）と、換気風量を低下させる換気風量抵抗（Ｒ）と傾斜角度との関係を図示したものである。図９に示すように、縦軸の右側に換気風量の抵抗度合い、左側に汚れ防止効果度合いを示し、上に行くほど性能が良好であることを示したものである。横軸には外周縁９の傾斜角度Ａを示したものである。外周縁９の角度Ａに対しての汚れ防止度合い、および、換気風量の抵抗度合いは図９に示すとおりの性能であり、その傾斜角度Ａが３０°〜７０°の間が汚れ防止効果および換気風量の両方の性能がともに良い範囲である。一方、換気用ベントキャップは規格化されたパイプ径に適合するように本体筒部５の径が決まっており、その径は約φ１００mm、φ１２５mm、φ１５０mm、φ２００mmである。実験の結果、どの範囲のパイプ径においてもこの有効な範囲が当てはまることが確認されており、これらのことから外周縁９の角度Ａを３０°〜７０°の範囲にすることで、特に換気上有効な風量が得られつつ、外壁面１ａへの汚れ防止が適切にできるものとなる。
【００５６】
（実施の形態７）
図１０に示すように、遮蔽部７Ｅは室外３に面する板材１７と、突形状部１１を形成する板材１８との接合で構成されている。接合は、たとえば、板部１７と板材１８とが合わさる周縁部の同一位置に穴１９を有しており、穴１９にリベットを挿入し、リベットかしめによって接合する。または、この穴１９にネジを差し込むことによって両板材１７、１８を固定する。あるいは、板材１７と板材１８とが合わさる部分で、溶接する方法などによって接合される。
【００５７】
上記構成において、遮蔽部７Ｅは排気による外壁面１ａの汚れ防止をするために、突形状部１１が必要である。一方、換気用ベントキャップの意匠上では正面からみた際に遮蔽部７Ｅは実質的に平板であることが望ましい。遮蔽部７Ｅは室外に面する板材１７と突形状部１１を形成する板材１８で構成されているので、板材１８の形状にかかわらず、板材１７を意匠上有効な任意な形状とすることができる。また２つの板材１７、１８の内部は中空になっているので、商品自体を軽くできるため、商品を安価に作ることができ、また軽量な商品化が実現できるため、施工の際、簡単に外壁１に設置することができる。
【００５８】
（実施の形態８）
図１１に示すように、遮蔽部７Ｆは室外３に面する板材１７と、突形状部１１を形成する板材１８が外周縁９でかしめによって接合された構成としている。
【００５９】
上記構成において、遮蔽部７Ｆは板部１８と、この板材１８の外形よりやや大きい外形を有した板材１７とを中心軸を一致させたあと、板材１７が外周縁９で、板材１８側に折り曲げ加工されて２枚の板材１７、１８を接合している。この構成により、商品の正面にスポット溶接跡、ネジなど、商品の外観に障害をもたらすものがないため、外観上優れた換気用ベントキャップを提供できる。
【００６０】
（実施の形態９）
図１２に示すように、突形状部１１を形成する板材１８には外周縁９近傍で、室外に面する板材１７の板厚分だけとする段落とし部２０を有し、この段落とし部２０で板部１７により内側にかしめ接合している。板材１７の外縁部２１が板材１８の段落とし部２０の上に乗るような位置で板材１８を板部１７で包むようにしてかしめ接合されている。
【００６１】
上記構成において、かしめ接合される部分においては突形状部１１の表面に凹凸がないため、本体筒部５の開口部１４から排気された空気が突形状部１１に沿って流れる際、かしめ部付近で空気の乱流を防ぐことができるため、換気用ベントキャップの風量低下（圧力損失）を低減できる。またかしめ部に凹凸がないため、埃の堆積がなくなり、換気用ベントキャップの表面の汚れを防ぐことができる。とくに寒冷地地域ではこのように換気用ベントキャップへの埃の堆積がないため、埃が水分を吸って夜間に冷えて、この水分の凍結により氷柱を発生することもないため、換気用ベントキャップに発生する氷柱の防止ができる。
【００６２】
（実施の形態１０）
図１３に示すように、遮蔽部７Ｇの室外に面する板材１７と突形状部１１を形成する板材１８との間の空間に、発泡スチロールなどの断熱材２２が内蔵された構成としている。断熱材２２は発砲スチロールや、ＰＥＴ樹脂の繊維質状のものなど吸湿しにくい材料が望ましい。
【００６３】
上記構成において、寒冷地地域では、遮蔽部７Ｇに対し室内換気による排気流により昼間暖かい空気が流れ、その空気が遮蔽部７Ｇに当たると遮蔽部７Ｇ内の断熱材２２にその熱が蓄積されるため、夜間排気していないときでも、遮蔽板７Ｇ内の断熱材２２に蓄熱された熱で暖かさを保って、遮蔽部７Ｇに結露水が付着したり、雪などが凍るのを防ぎ、遮蔽部７Ｇの下端での氷柱の発生を防止できる。
【産業上の利用可能性】
【００６４】
本発明にかかるベントキャップは、排気流による外壁の汚れ防止ができるという効果を有し、建物の外壁に装着される換気用ベントキャップ等に有用である。
【図面の簡単な説明】
【００６５】
【図１】本発明の実施の形態１の換気用ベントキャップの設置状態を示す断面図
【図２】同換気用ベントキャップの製造上の形態を示す断面図
【図３】本発明の実施の形態２の換気用ベントキャップの設置状態を示す断面図
【図４】本発明の実施の形態３の換気用ベントキャップの設置状態を示す断面図
【図５】本発明の実施の形態４の換気用ベントキャップの設置状態を示す断面図
【図６】本発明の実施の形態５の換気用ベントキャップの設置状態を示す断面図
【図７】同換気用ベントキャップの斜視図
【図８】本発明の実施の形態６の換気用ベントキャップの設置状態を示す断面図
【図９】同換気用ベントキャップの性能を示す図
【図１０】本発明の実施の形態７の換気用ベントキャップの設置状態を示す断面図
【図１１】本発明の実施の形態８の換気用ベントキャップの設置状態を示す断面図
【図１２】本発明の実施の形態９の換気用ベントキャップの設置状態を示す断面図
【図１３】本発明の実施の形態１０の換気用ベントキャップの設置状態を示す断面図
【図１４】従来の換気用ベントキャップの設置状態を示す断面図
【図１５】従来の他の換気用ベントキャップの設置状態を示す断面図
【符号の説明】
【００６６】
１      外壁
１ａ    外壁面
２      室内
３      室外
４      ダクト
５      本体筒部
６      支持部材
７      遮蔽部
７Ａ    遮蔽部
７Ｂ    遮蔽部
７Ｃ    遮蔽部
７Ｄ    遮蔽部
７Ｅ    遮蔽部
７Ｆ    遮蔽部
７Ｇ    遮蔽部
９      外周縁
１０    中心
１１    突形状部
１１Ａ  突形状部
１１Ｂ  突形状部
１１Ｃ  突形状部
１１Ｄ  突形状部
１１Ｅ  突形状部
１２Ａ  円錐Ａ
１２Ｂ  円錐Ｂ
１５Ａ  角錐Ａ
１５Ｂ  角錐Ｂ
１５Ｃ  角錐Ｃ
１６Ａ  球面Ａ
１６Ｂ  球面Ｂ
１６Ｃ  球面Ｃ
１７    板材
１８    板材
２０    段落とし部
２２    断熱材
【図１】
0004935650.tif 000002
【図２】
0004935650.tif 000003
【図３】
0004935650.tif 000004
【図４】
0004935650.tif 000005
【図５】
0004935650.tif 000006
【図６】
0004935650.tif 000007
【図７】
0004935650.tif 000008
【図８】
0004935650.tif 000009
【図９】
0004935650.tif 000010
【図１０】
0004935650.tif 000011
【図１１】
0004935650.tif 000012
【図１２】
0004935650.tif 000013
【図１３】
0004935650.tif 000014
【図１４】
0004935650.tif 000015
【図１５】
0004935650.tif 000016